【手続補正書】
【提出日】平成20年10月22日(2008.10.22)
【手続補正１】
【補正対象書類名】特許請求の範囲
【補正対象項目名】全文
【補正方法】変更
【補正の内容】
【特許請求の範囲】
【請求項１】
データ・ストレージ・システムのメディア・ドライブをテストするためのテスト・システムであって、  命令を生成するように適合された制御システムと、  前記制御システムからの命令の受信に応答してテスト・メッセージをメディア・ドライブの第１のインターフェースに伝送し、前記メディア・ドライブの第１のインターフェースからテスト応答を受信し、前記テスト応答を前記制御システムに伝送するように適合されたホスト・エミュレータと、  前記制御システムからの命令の受信に応答してテスト・メッセージを前記メディア・ドライブの第２のインターフェースに伝送し、前記メディア・ドライブの第２のインターフェースからテスト応答を受信し、前記テスト応答を前記制御システムに伝送するように適合されたストレージ・ライブラリ・エミュレータと、を含み、前記制御システムが、前記メディア・ドライブの性能を評価するために前記テスト・メッセージおよび前記テスト応答をさらに処理するように適合された、テスト・システム。
【請求項２】
前記制御システムが、前のテスト応答に基づいて命令を生成するように適合された、請求項１に記載のテスト・システム。
【請求項３】
前記制御システムが、前記制御システムによって実行されるテスト・ファイルに基づいて命令を生成するように適合された、請求項１に記載のテスト・システム。
【請求項４】
前記ホスト・エミュレータが、テスト・メッセージを第１のプロトコルで第１のインターフェースに伝送し、  前記ストレージ・ライブラリ・エミュレータが、テスト・メッセージを第２のプロトコルで第２のインターフェースに伝送するように適合された、請求項１に記載のテスト・システム。
【請求項５】
前記第１のプロトコルがＦＣＰ（Ｆｉｂｅｒ  Ｃｈａｎｎｅｌ  Ｐｒｏｔｏｃｏｌ）−ＳＣＳＩプロトコルを含む、請求項４に記載のテスト・システム。
【請求項６】
前記第２のプロトコルがオートメーション−ドライブ間コマンド（ＡＤＣ）プロトコルを含む、請求項５に記載のテスト・システム。
【請求項７】
前記メディア・ドライブがテープ・ストレージ・システムのためのテープ・ドライブを含む、請求項１に記載のテスト・システム。
【請求項８】
前記第１のインターフェースがテープ・ドライブのためのホスト／ドライブ・インターフェースを含み、  前記第２のインターフェースがテープ・ドライブのためのオートメーション／ドライブ・インターフェースを含む、請求項７に記載のテスト・システム。
【請求項９】
データ・ストレージ・システムにおける第１のインターフェースおよび第２のインターフェースを備えるメディア・ドライブをテストするためのテスト・システムを動作させる方法であって、前記方法が、  制御システムにおいて命令を生成するステップと、  前記制御システムからの命令の受信に応答して、テスト・メッセージを、ホスト・エミュレータから前記メディア・ドライブの第１のインターフェースに、もしくは、ストレージ・ライブラリ・エミュレータから前記メディア・ドライブの第２のインターフェースに伝送するステップと、  前記ストレージ・ライブラリ・エミュレータにおいて前記メディア・ドライブの第２のインターフェースからテスト応答を受信するステップと、  前記ストレージ・ライブラリ・エミュレータからのテスト応答を前記制御システムに伝送するステップと、  前記メディア・ドライブの性能を評価するために前記制御システムにおいてテスト・メッセージおよびテスト応答を処理するステップと、を含む方法。
【請求項１０】
前記制御システムにおいて命令を生成するステップが、前のテスト応答に基づいて前記制御システムにおいて命令を生成することを含む、請求項９に記載の方法。
【請求項１１】
前記制御システムにおいて命令を生成するステップが、前記制御システムによって実行されるテキスト・ファイルに基づいて前記制御システムにおいて命令を生成することを含む、請求項９に記載の方法。
【請求項１２】
前記ホスト・エミュレータからの前記テスト・メッセージを前記第１のインターフェースに伝送するステップが、前記テスト・メッセージを第１のプロトコルで前記第１のインターフェースに伝送することを含み、  前記ストレージ・ライブラリ・エミュレータからの前記テスト・メッセージを前記第２のインターフェースに伝送するステップが、前記テスト・メッセージを第２のプロトコルで前記第２のインターフェースに伝送することを含む、請求項９に記載の方法。
【請求項１３】
テープ・ドライブをテストするためのテスト・システムであって、  第１の命令を生成するように適合された制御システムと、  前記制御システムからの第１の命令の受信に応答して第１のプロトコルで第１のテスト・メッセージを前記テープ・ドライブのホスト／ドライブ・インターフェース（ＨＤＩ）に伝送するホスト・エミュレータと、  前記テープ・ドライブのオートメーション／ドライブ・インターフェース（ＡＤＩ）から第２のプロトコルで第１のテスト応答を受信し、前記第１のテスト応答を前記制御システムに伝送するテープ・ライブラリ・エミュレータと、を含み、前記制御システムが、前記テープ・ドライブの性能を評価するために前記第１のテスト・メッセージおよび前記第１のテスト応答をさらに処理するように適合された、テスト・システム。
【請求項１４】
前記制御システムが第２の命令を生成するように適合され、  前記テープ・ライブラリ・エミュレータが、前記制御システムからの前記第２の命令の受信に応答して前記第２のプロトコルで第２のテスト・メッセージを前記テープ・ドライブのＡＤＩに伝送するように適合され、  前記ホスト・エミュレータが前記第２のテスト・メッセージに応答して前記テープ・ドライブのＨＤＩから前記第１のプロトコルで第２のテスト応答を受信し、前記第２のテスト応答を前記制御システムに伝送するように適合され、  前記制御システムが前記テープ・ドライブの性能を評価するために前記第２のテスト・メッセージおよび前記第２のテスト応答を処理するように適合された、請求項１３に記載のテスト・システム。
【請求項１５】
前記制御システムが第３の命令を生成するように適合され、  前記テープ・ライブラリ・エミュレータが前記制御システムからの前記第３の命令の受信に応答して前記第２のプロトコルで第３のテスト・メッセージを前記テープ・ドライブのＡＤＩに伝送し、前記第３のテスト・メッセージに応答して前記テープ・ドライブのＡＤＩから前記第２のプロトコルで第３のテスト応答を受信し、前記第３のテスト応答を前記制御システムに伝送するように適合され、  前記制御システムが前記テープ・ドライブの性能を評価するために前記第３のテスト・メッセージおよび前記第３のテスト応答を処理するように適合された、請求項１４に記載のテスト・システム。
【請求項１６】
前記制御システムがテスト・ファイルに従って前記第１、第２および第３の命令を自動的に生成する、請求項１５に記載のテスト・システム。
【請求項１７】
前記ホスト・エミュレータがホスト・サーバを含み、  前記テープ・ライブラリ・エミュレータがテープ・ライブラリ・サーバを含み、  前記ホスト・サーバおよび前記テープ・ライブラリ・サーバがネットワークを介して前記制御システムに接続される、請求項１３に記載のテスト・システム。
【請求項１８】
前記ホスト・エミュレータが処理システムによって実行されるホスト処理を含み、  前記テープ・ライブラリ・エミュレータが前記処理システムによって実行されるテープ・ライブラリ処理を含み、  前記制御システムが前記処理システムによって実行される制御処理を含む、請求項１３に記載のテスト・システム。